(57)【特許請求の範囲】
【請求項１】
遊技盤１０の遊技領域１５内に、入賞した遊技球を検出して検出信号を発信する球検出器１３８と、該球検出器１３８の検出信号に基づいて図柄抽選変動し得る図柄表示装置１と、該図柄表示装置１で抽選図柄として、「大当り図柄配列」が停止表示された場合を権利発生の契機として大当り遊技状態となり大入賞口６２を設定条件で開放作動する大入賞口装置６０とが夫々配置されるとともに、前記遊技盤１０の裏側に前記球検出器１３８の検出信号の人力に基づいて前記図柄表示装置１に対する図柄抽選変動停止制御指令を発信するとともに、該図柄表示装置１での「大当り図柄配列」の停止表示による権利発生の契機に基づいて前記大入賞口装置６０を開成制御するための主制御装置１０１が装備された遊技機において、
前記図柄表示装置１は、前面を開口した箱形状に成形されて正面内部には方形状の空間室を形成して前記遊技盤１０に取着されるケース部材７と、該ケース部材７の空間室内の前・中・後の各位置に配置されて３コマ分ずつの図柄を正面視左・中・右の各位置に３桁に並べた状態で可変表示停止し得る左右横長方形状とされた第１の表示部２ａ、第２の表示部２ｂ及び第３の表示部２ｃと、前記ケース部材７の後壁部側に設置されたギアードモータ２０３、ピニオン２０２、ラック２０１及び支持シャフト用ガイド溝２０４で昇降案内支持された昇降用の支持体２００を含めて構成されて前記第３の表示部２ｃを昇降作動し得る機構と、前記ケース部材７の左右の側壁部７ａに形成されて前記第２の表示部２ｂと第３の表示部２ｃを昇降案内保持し得る上下縦長状のガイド溝４ａ，４ｂと、を備え、
前記第１の表示部２ａが前記ケース部材７の空間室内の前側下段位置に正面視横向き状態で定置され、前記第２の表示部２ｂが前記ケース部材７の空間室内の中側下段位置に正面視横向き状態で前記第１の表示部２ａの後側に配置されて、前記ケース部材７のガイド溝４ａで昇降案内支持され、前記第３の表示部２ｃが前記ケース部材７の空間室内の後側下段位置に正面視横向き状態で前記第２の表示部２ｂの後側に配置されて、前記ケース部材７のガイド溝４ｂで昇降案内支持されるとともに前記支持体２００に連繋支持され、前記第２の表示部２ｂの裏面側には係合部５ｂが突設される一方、前記第３の表示部２ｃの表面側には当該第３の表示部２ｃの上昇に伴って前記係合部５ｂを受ける係合受部８ｂが設けられており、
前記第１の表示部２ａ、第２の表示部２ｂ及び第３の表示部２ｃが、前記ケース部材７の空間室内の前・中・後の各下段位置に保持される初期の縮小配置状態において、前記主制御装置１０１の図柄抽選変動停止制御指令に基づいて前記第１の表示部２ａが３コマ分の図柄を変動表示停止して「大当り図柄配列」による権利発生の有無を表示報知し、
前記第１の表示部２ａが左右２コマ分の特定図柄によって、通常の「リーチ」よりも大当りとなる可能性が高い「スーパーリーチ」状態になると、前記ギアードモータ２０３の正回転に基づいて前記第３の表示部２ｃが単独で中段位置に上動変位されて、前記第１の表示部２ａと前記第３の表示部２ｃとを合わせた第１の拡張配置状態に保持されて図柄表示を展開し、
前記第１の表示部２ａが左右２コマ分の特別図柄によって、前記「スーパーリーチ」状態よりもさらに大当りとなる可能性が高い「プレミアムリーチ」状態になると、前記ギアードモータ２０３の正回転に基づいて前記第３の表示部２ｃが上段位置に変位されて前記係合部５ｂと前記係合受部８ｂとが係合するとともに前記第２表示部２ｂが中段位置に変位保持されて、前記第１の表示部２ａ、第２の表示部２ｂ及び第３の表示部２ｃを合わせた第２の拡張配置状態に保持されて図柄表示を展開するように設定されたことを特徴とする遊技機。
【発明の詳細な説明】
【０００１】
【発明の属する技術分野】
この発明は、例えば、パチンコ機（雀球機、アレンジボール機等も含む）のような遊技機に関する。
【０００２】
【従来の技術】
遊技機の一つであるパチンコ機では、パチンコ球が始動口に入球した（入賞した）場合に、図柄表示装置（例えば、特別図柄表示器）に図柄を変動表示させる。そして、変動表示後に停止させた図柄の態様によって、その入賞に対して行われた抽選結果が大当りであるか否かを遊技者に報知している。例えば、抽選結果が大当りである場合には、同じ種類の図柄が３つ揃った大当り図柄配列（例えば「７，７，７」等）を表示して遊技者に大当りを報知している。大当りが報知されると、遊技者にはその後に大当り遊技（大入賞口を一定時間開く等）が付与される。
【０００３】
このような遊技機では、図柄表示装置に図柄を変動させてから停止させるまでの間において、図柄の変動表示の態様や、背景となるアニメーションの動き等を多様に変化させることによっても、遊技の演出効果を高めることが行われる。
しかし、係る従来の遊技機では、図柄の変動表示の態様や、背景となるアニメーション等は変化するものの、図柄表示装置の構造自体は変化しないので、演出効果を高めるためのバリエーションにも限界があり問題となっていた。
【０００４】
【発明が解決しようとする課題】
本発明は上記のような問題点に鑑みて創案されたものであり、図柄を表示するための図柄表示装置自体の構造を変化させることによって、従来にない斬新な表示演出を可能とした遊技機を提供することにある。
【０００５】
【課題を解決するための手段】
前記した課題を解決するために各請求項に記載した発明が構成される。
請求項１に記載の遊技機によれば、所定領域（例えば入球口や役物装置等）に遊技球が入賞又は通過すると、抽選手段による抽選が行われる。ここでいう「抽選手段」とは、例えば、ＲＯＭ等に記憶されたプログラムを読み込むことにより、予め定められた手順で各種の演算を行うＣＰＵ等により構成される。この抽選手段が例えば乱数を発生させ、この乱数が所定の数であるか否かを判別することによって抽選を行う。抽選手段による抽選結果が「大当り」である場合には、図柄表示装置によって図柄が所定の表示態様で表示される。
【０００６】
そして、請求項１に記載の遊技機によれば、図柄を表示するための図柄表示装置が複数の表示部で構成される。それぞれの表示部では、遊技者に大当りを報知するための所定の表示態様（例えば「７，７，７」等のゾロ目の図柄配列）で図柄を表示することが可能であり、言い換えれば、いずれか一つの表示部にのみで遊技者に「大当り」であることを報知することが可能となっている。
さらに、図柄表示装置は、複数の表示部が前後に重なることで最前面に位置する表示部のみが遊技者に視認可能とされる縮小配置状態と、最前面に位置にする表示部以外の表示部が、縮小配置状態から移動することで遊技者に視認可能な状態とされる拡張配置状態とをとることが可能に構成されている。
【０００７】
以上に示した構成により、請求項１に記載の遊技機によれば、遊技者に視認可能な表示部の数を場合に応じて増減させることができる。増減させたそれぞれの表示部では、図柄を「所定の表示態様」で表示して、遊技者に「大当り」を報知することができる。これにより、図柄の表示演出のバリエーションが広がるだけでなく、遊技者にとっては、視認可能な表示部の数が増えるにつれて、あたかも「大当り」となる確率が上昇し、「大当り」への期待感が強められるように感じられることになる。
【０００８】
請求項１に記載の遊技機によれば、図柄表示装置が、遊技状態に対応して縮小配置状態と拡張配置状態とに切り換えられる。ここでいう「遊技状態」とは、例えば、大当りとなるための所定の表示態様（例えば「７，７，７」等の大当り図柄配列）が表示される一歩手前の状態である「リーチ」の状態（例えば「７、７」等）、通常の「リーチ」よりも大当りとなる可能性が高い特別なリーチである「スーパーリーチ」の状態、あるいは、ある「大当り」の遊技が終了した後に、さらに「大当り」となる可能性が通常よりも高くなることが遊技者に報知される「高確率遊技」の状態等が挙げられる。つまり、通常の遊技中とは異なる表示演出等が行われるこれらの遊技状態への移行をきっかけとして、図柄表示装置が縮小配置状態あるいは拡張配置状態に切換えられるので、遊技者にとっては、図柄の表示演出の態様がより分かり易くかつ斬新に感じられることになる。
【０００９】
請求項１に記載の遊技機によれば、図柄表示装置が拡張配置状態となることで複数の表示部が遊技者に視認可能な状態とされる。そして、その複数の表示部に表示された図柄の組み合わせによっても、大当りを報知するための「所定の表示態様」が構成される。つまり、図柄表示装置を構成する複数の表示部のうち、一つの表示部のみで「大当り」を報知するだけでなく、複数の表示部の組み合わせによって所定の表示態様（例えば「７，７，７」）を構成し、それによっても遊技者に「大当り」を報知することができる。これにより、「大当り」を報知するための表示態様のバリエーションが広がるだけでなく、遊技者にとっては、視認可能な表示部が増加するにつれて、あたかも「大当り」となる確率が上昇するように感じられ、「大当り」への期待感が一層強められることになる。
【００１０】
【発明の実施の形態】
以下、本発明の実施の形態を図面に基づいて説明する。本実施の形態は遊技機の一つであるパチンコ機に対し本発明を適用したものである。
【００１１】
遊技機としてのパチンコ機、例えば、権利ものとも呼ばれている第３種パチンコ機の遊技盤を正面（前面）で表した図１において、遊技盤１０の前面の周縁部には、外レール１２と内レール１３とを備えた案内レール１１が装着されている。
この案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。
遊技盤１０の遊技領域１５には、その略中央部に位置して図柄表示装置１が装着され、図柄表示装置１の左側には電動式普通役物装置２１と権利発生装置３０（特別入賞装置と呼ばれることもある。）とが上下に隣接してそれぞれ装着されている。さらに、遊技盤１０の遊技領域１５には、図柄表示装置１の直下及びその右側に位置して普通入賞口２０が配設され、図柄表示装置１の左側下部には特定入賞口２６が配設されている。
【００１２】
図１に示すように、電動式普通役物装置２１には、可変入球口２２ａを大小に変化させる一対の開閉部材２２が組み付けられている。これら一対の開閉部材２２は、モータ、ソレノイド等の電動アクチュエータを駆動源とし開閉動作されるようになっている。
また、電動式普通役物装置２１の下方に隣接して設けられた権利発生装置３０には、所望とする装飾が施された前装飾部材が前面に装着されている。その前装飾部材を取り外した権利発生装置３０の内部は、図２に示すように構成されている。
【００１３】
図２に示すように、前装飾部材を取り外した権利発生装置３０の内部には、球通路１３７を構成するための球通路構成部材１３９が立設されている。球通路１３７の上流側には、可変入球口２２ａに入球し、球通路１３７を通過する球を検出して主制御装置に球検出信号を出力する球検出器１３８が設けられており、球通路１３７の下流側には、モーター等の駆動源により回転し、球通路１３７を通過してきた球Ｂを特定領域１４７と非特定領域１４８とに振り分けるための回転体である可動振分体１４５が配設されている。
可動振分体１４５は、その外周面の球受け部１４６が下向きに開口して待機するとともに、球通路１３７の下流部には、可動振分体１４５の外周面上に保留された球Ｂを検出する球検出器１３８が設けられている。
そして、図２の（Ａ）に示すように、球通路１３７を流れる球Ｂは可動振分体１４５の外周面上に保留される。これと略同時に球検出器１３８によって球Ｂが検出される。すると、球Ｂの検出信号が主制御装置に伝達され、その主制御装置から出力される信号に基づいて図柄表示装置１の表示部２に抽選図柄が変動表示されるようになっている。
ここで、図柄表示装置１の表示部２に表示された抽選図柄が、例えば、「大当り図柄配列」を表示した状態で停止すると、可動振分体１４５が、図２の（Ａ）に向かって時計回り方向に回転する。
すると、まず、図２の（Ｂ）に示すように、可動振分体１４５の外周面上に保留された球Ｂが球受け部１４６に受けられる。引き続く可動振分体１４５の回転動作によって、図２の（Ｃ）に示すように、球受け部１４６の球Ｂが特定領域１４７に放出され、その下流側に配設された球検出器（図示しない）に球Ｂが検出されて、大当りの権利が発生するようになっている。
【００１４】
前述したように、遊技盤１０の遊技領域１５には、図柄表示装置１の左側下部（図１に向かって左側下部）に位置して特定入賞口２６が装着されている。この特定入賞口２６には、その入球口に流入した球を検出する球検出器２６ａが設けられている。この球検出器２６ａの検出信号に基づいて、電動式普通役物装置２１の一対の開閉部材２２が所定時間（例えば、０．５秒）開放された後、元の状態に閉じられるようになっている。
また、遊技盤１０の遊技領域１５には、図柄表示装置１の右側（図１に向かって右側）に位置して第３種始動口７０が装着されている。
【００１５】
図３は、第３種始動口７０の正面図であり、図４は、図３における第３種始動口７０のＡ−Ａ線断面図である。
図３及び図４に示すように、第３種始動口７０は、その本体部７１において遊技盤１０の前面にビス等によって装着されている。
本体部７１は、前構成部材７２と後構成部材７８との２部品を主体として構成されている。
前構成部材７２は、遊技盤１０の前面にビス等によって取り付けされる取付部と、その取付部から前方に突出しかつ遊技領域１５を流れる球Ｂが流入可能な開口部７６を有する入球室７３の内周壁を構成する周壁部７４と、その周壁部７４の前面及び周縁部を覆うようにして設けられた装飾性を有する覆い部７５と、を一体に備えている。
また、この実施の形態において、入球室７３の開口部７６を横向（図３に向かって右向き）に開口するために、周壁部７４が略Ｃ字状に形成されている。
また、入球室７３の下部には後述する回転体９０の外周面と協働して球Ｂを保留する球保留部７７が形成されている。
【００１６】
前構成部材７２の後側には、後構成部材７８が一体化されて設けらている。この後構成部材７８には、入球室７３の奥側に位置しかつ球Ｂが流入可能な入球口８０を有する球通路８１が形成されている。この球通路８１の排出口８４は、遊技盤１０の後側に設けられた裏集合樋に連通するようになっている。また、球通路８１の排出口８４には、その排出口８４を通過する球Ｂを検出する球検出器８５が設けられている。
また、球通路８１の所定位置には、次に述べる回転体９０の吸着部９２に吸着された球Ｂを回転体９０から分離し、その球Ｂを球通路８１の排出口８４に向けて放出する球分離部８３が形成されている。この実施の形態において、図４に示すように、球通路８１の周壁部のうち、底壁部を構成する傾斜状の底板部８２の先端部が回転体９０の外周面に接近して臨んでおり、当該底板部８２の先端部を球分離部８３としている。
【００１７】
図４に示すように、後構成部材７８の前部には、入球室７３と球通路８１とに跨った状態で回転体９０が横方向の軸を中心として回転可能に組み付けられている。言い換えると、回転体９０の外周面によって、入球室７３の奥側壁部と球通路８１の入球口８０の下側壁部とが構成されている。
また、回転体９０は、入球室７３の球保留部７７の球Ｂを入球口８０を通して球通路８１に沿って移送するためのもので、モータ等の電動アクチュエータを駆動源として一方向（図４に向かって時計回り方向）に所定速度で連続回転されるようになっている。そして、回転体９０の外周面の一部には、球Ｂを磁力によって吸着する吸着部９２が同回転体９０の外周面よりも凹んだ位置に設けられている。
【００１８】
この実施の形態において、図４に示すように、回転体９０の外周面の一箇所に、磁石９１（永久磁石）が埋め込み状に設けられ、その磁石９１の一側面を吸着部９２としている。
そして、図５に示すように、回転体９０の吸着部９２が入球口８０に位置するときには、その入球口８０に対し１球のみ球Ｂの流入を許容し、回転体９０の吸着部９２以外の外周面が入球口８０に位置するときには、球Ｂの流入を阻止するように、入球口８０の大きさ並びに回転体９０の外周面に対する吸着部９２の凹み形状がそれぞれ設定されている。
例えば、球Ｂの直径寸法をＤ、回転体９０の吸着部９２が入球口８０に位置したときの吸着部９２から入球口８０の上端部間での開口寸法をＷ１、回転体９０の吸着部９２以外の外周面が入球口８０に位置したときの回転体９０の外周面から入球口８０の上端部間での開口寸法をＷ２とした場合、
Ｗ１＞Ｄ＞Ｗ２
の関係となるように、球Ｂの直径寸法Ｄ、開口寸法Ｗ１及び開口寸法Ｗ２が適宜に設定されている。ちなみに、この実施の形態において、球Ｂの直径寸法Ｄが１１ｍｍである場合、開口寸法Ｗ１は１２ｍｍ、開口寸法Ｗ２は１０ｍｍに設定されている。
【００１９】
図１に示すように、遊技盤１０の遊技領域１５には、第３種始動口７０の直下に位置して大入賞口６２とその大入賞口６２を開閉する開閉扉６１を備えた大入賞口装置６０が装着されている。
また、遊技盤１０の遊技領域１５には、球Ｂを所定方向に誘導したり、あるいは球Ｂの流れを変化させる多数の釘や風車器２５が適宜に配設されている。
また、遊技盤１０の遊技領域１５には、その遊技領域１５の図１に向かって右側上部に打ち出された球Ｂのうち、多くの球Ｂを大入賞口装置６０の大入賞口６２に導くとともに、その球Ｂのうち、一部の球Ｂを第３種始動口７０の入球室７３の開口部７６に導くように複数の誘導釘１００が適宜に配設され、これら複数の誘導釘１００によって誘導手段が構成されている。
また、遊技盤１０の遊技領域１５には、普通入賞口２０の下方でその遊技領域１５の最下端に位置してアウト口６５が形成されている。
【００２０】
前述したように、遊技盤１５には、複数の抽選図柄（特別図柄ともいう）を表示可能な図柄表示装置１が略中央部に装着されている。図柄表示装置１は３つの表示部を主体として構成されており、図１に向かって最前面に位置する第１の表示部２ａと、第１の表示部２ａよりも後部側に位置する第２の表示部２ｂと、最後部に位置する第３の表示部２ｃとを備えている。この図柄表示装置１は、遊技盤１０の正面に着座した遊技者等から見て、第１の表示部２ａのみが視認可能な状態とされる縮小配置状態と、第１の表示部２ａ及び第３の表示部２ｃのみが視認可能な状態とされる第１の拡張配置状態と、第１〜第３の表示部２ａ、２ｂ、２ｃすべてが視認可能な状態とされる第２の拡張配置状態とをとることができる。なお、図１に示す図柄表示装置１は、第１〜第３の表示部２ａ、２ｂ、２ｃが遊技者に視認可能な状態とされた第２の拡張配置状態をとっている。
【００２１】
図６は、縮小配置状態をとった図柄表示装置１の正面図であり、図７は、縮小配置状態をとった図柄表示装置１の側面図である。
図６及び図７に示すように、縮小配置状態をとった図柄表示装置１では、第１〜第３の表示部２ａ、２ｂ、２ｃが前後に重なって順番に配置され、最前面に位置する第１の表示部２ａの図柄のみが遊技者に視認されるようになっている。
ここで、本実施の形態においては、第１〜第３の表示部２ａ、２ｂ、２ｃとして、７セグメントＬＥＤにより「０」から「９」までの数字を表示できる表示器が用いられる。第１〜第３の表示部２ａ、２ｂ、２ｃでは、「０」から「９」までの数字がそれぞれ３桁で表示され、「大当り」である場合には３桁の数字がゾロ目で表示されるようになっている（例えば、「７，７，７」、「３，３，３」等）。
【００２２】
図６及び図７に示すように、第１〜第３の表示部２ａ、２ｂ、２ｃは、遊技盤１０の表面を構成するパネル６を貫通して内部に埋め込まれたケース部材７の内部に配設されており、第１〜第３の表示部２ａ、２ｂ、２ｃを左右から囲うケース部材７の側壁部７ａには、２本のガイド溝４ａ、４ｂが上下方向に設けられている。
また、図６及び図７に示すように、第２の表示部２ｂ、及び、第３の表示部２ｃの左右の側面には、それぞれにガイドピン３ａ、３ｂが突き出し状に２本ずつ設けられている。第２の表示部２ｂの左右の側面に設けられたガイドピン３ａは、ガイド溝４ａを貫通しており、第３の表示部２ｃの左右の側面に設けられたガイドピン３ｂは、ガイド溝４ｂを貫通している。
そして、ガイドピン３ａがガイド溝４ａにガイドされることによって、第２の表示部２ｂがガイド溝４ａに沿って上下方向にスライドするようになっている。
同じように、ガイドピン３ｂがガイド溝４ｂにガイドされることによって、第３の表示部２ｃがガイド溝４ｂに沿って上下方向にスライドするようになっている。
【００２３】
図７に示すように、第１の表示部２ａの上端部の裏面側（図６を正面から見たときの裏面側）には、係合部５ａが一体状に設けられて突出している。同じように、第２の表示部２ｂの上端部の裏面側には、係合部５ｂが一体状に設けられて突出している。
また、第２の表示部２ｂの表面側には、下端部から全長の約１/４だけ上方に位置して、係合部５ａを受けるための係合受部８ａが一体状に設けられて突出している。同じように、第３の表示部２ｃの表面側には、下端部から全長の約１/４だけ上方に位置して、係合部５ｂを受けるための係合受部８ｂが一体状に設けられて突出している。
係合部５ａ、５ｂ、及び、係合受部８ａ、８ｂは、それぞれが表示部２の横方向に沿って平行に延設されており、まず、第３の表示部２ｃが上方向にスライドすると、係合部５ｂと係合受部８ｂとがほぼ接触した状態となり、図柄表示装置１は図８及び図９に示すような第１の拡張配置状態をとるようになっている。
【００２４】
図８は、第１の拡張配置状態をとった図柄表示装置１の正面図であり、図９は、第１の拡張配置状態をとった図柄表示装置１の側面図である。
図８及び図９に示すように、第１の拡張配置状態における図柄表示装置１では、第１の表示部２ａ、及び、第２の表示部２ｂが重なって配置され、最前面に位置する第１の表示部２ａに表示される図柄のみが遊技者に視認可能とされる。ただし、最も後面側に位置する第３の表示部２ｃは上方向に移動しており、その第３の表示部２ｃに表示される図柄も遊技者に視認可能とされている。
第２の表示部２ｂの裏面側に設けられた係合部５ｂと、第３の表示部２ｃの表面側に設けられた係合受部８ｂとがほぼ接触した第１の拡張配置状態において、第３の表示部２ｃがさらに上方向へスライドを続けると、係合部５ｂが係合受部８ｂに持ち上げられ、第２の表示部２ｂが上方向へスライドを開始するようになっている。すると、第１の表示部２ａの裏面側に設けられた係合部５ａと、第２の表示部２ｂの表面側に設けられた係合受部８ａとがほぼ接触した状態となり、図柄表示装置１は図１０及び図１１に示すような第２拡張配置状態をとるようになっている。
【００２５】
図１０は、第２の拡張配置状態をとった図柄表示装置１の正面図であり、図１１は、第２の拡張配置状態をとった図柄表示装置１の側面図である。
図１０及び図１１に示すように、第２の拡張配置状態における図柄表示装置１では、第１〜第３の表示部２ａ、２ｂ、２ｃが階段状に配置され、それぞれの表示部に表示された図柄が遊技者に視認可能な状態とされる。つまり、第２の拡張配置状態における図柄表示装置１では、数字（図柄）が３桁の状態で第１〜第３の表示部２ａ、２ｂ、２ｃにそれぞれ表示され、合計９つの数字が表示されるようになっている。
【００２６】
図１２は、縮小配置状態をとった図柄表示装置１の背面図である。
図１２に示すように、第３の表示部２ｃの裏面側には、２本の支持シャフト９が遊技盤１０の背面側に向かって略垂直に設けられており、この支持シャフト９の先端部は支持体２００に連結されている。支持体２００は横長楕円状に形成された板状部材であり、略水平に配設され、水平方向略中央部からは下向きにラック２０１が延設されている。ラック２０１にはピニオン２０２が噛み合っており、ピニオン２０２はギアードモータ２０３の駆動軸に対して同軸に設けられている。
ケース部材７の後壁部７ｂには、上下方向に２本の支持シャフト用ガイド溝２０４が  形成されており、第３の表示部２ｃの裏面側に設けられた２本のシャフト９はこの支持シャフト用ガイド溝２０４を貫通して支持体２００に連結され、この２本の支持シャフト用ガイド溝２０４にガイドされて上下に移動するようになっている。
ギアードモータ２０３はビス止めによってケース部材７の後壁部７ｂに固定されている。ギアードモータ２０３の駆動軸が駆動されると、ピニオン２０２がいずれか一方向に回転し、ピニオン２０２に噛み合っているラック２０１が上下いずれかの方向に作動されるようになっている。これにより、ラック２０１と一体状に構成された支持体２００が上下方向に作動され、第３の表示部２ｃが２本の支持シャフト９によって略水平に支持されながら上下に移動するようになっている。
前述したように、第３の表示部２ｃが上方向に移動すると、係合受部８ｂによって係合部５ｂが上方に持ち上げられ、第２の表示部２ｂが上方向に移動するようになっている。第３の表示部２ｃがさらに上方向に移動すると、係合受部８ａによって係合部５ａが上方に持ち上げられ、第１の表示部２ａが上方向に移動するようになっている。つまり、第３の表示部２ｃのみを上下に作動させることによって、第２の表示部２ｂも上下に作動させることができるので、本実施の形態では、これらを作動させるための駆動源を１つしか必要としていない（本実施の形態では１つのギアードモータ２０３しか必要としていない）。
【００２７】
通常の遊技状態では、第１〜第３の表示部２a、２ｂ、２ｃは前後に重なって配置されており、図柄表示装置１は図６及び図７に示すような縮小配置状態をとっている。
縮小配置状態をとった図柄表示装置１では、最前面に位置する第１の表示部２ａのみが遊技者に視認可能とされており、第１の表示部２ａには３桁の数字が表示されてラインＬ１が構成されている。つまり、このラインＬ１上に「７，７，７」等の「大当り図柄配列」が表示されれば、遊技者に「大当り」であることを報知したことになる。
【００２８】
本実施の形態に係るパチンコ機では、図柄表示装置１が縮小配置状態から第１の拡張配置状態あるいは第２の拡張配置状態をとることにより、「７，７，７」等の「大当り図柄配列」が表示されるラインの数が増減するように構成されている。
例えば、第１の拡張配置状態をとった図柄表示装置１では、図８に示すように、第１の表示部２ａに横向きのラインＬ１が構成され、第３の表示部２ｃにも横向きのラインＬ３が構成される。つまり、この２つのラインであるラインＬ１もしくはラインＬ３上に「７，７，７」等の大当り図柄配列が表示されれば、遊技者に「大当り」であることを報知したことになる。
例えば、第２の拡張配置状態をとった図柄表示装置１では、図１０に示すように、第１の表示部２ａにラインＬ１が構成され、第２の表示部２ｂにラインＬ２が構成され、第３の表示部２ｃにラインＬ３が構成される。つまり、この３つのラインであるラインＬ１、ラインＬ２、もしくはラインＬ３上に「７，７，７」等の大当り図柄配列が表示されれば、遊技者に「大当り」であることを報知したことになる。
さらに、本実施の形態では、第１〜第３の表示部２ａ、２ｂ、２ｃに跨って斜め方向にラインが構成され、その斜め方向のライン上に「大当り図柄配列」を表示することが可能に構成されている。例えば、第２の拡張配置状態をとった図柄表示装置１では、図１０に示すように、第１〜第３の表示部２ａ、２ｂ、２ｃに跨って、３桁の数字を表示可能なラインＬ４及びラインＬ５が斜め方向に構成されている。つまり、第２の拡張配置状態における図柄表示装置１の表示部２には、ラインＬ１〜ラインＬ５までの５つのラインが構成されており、いずれかのライン上に「７，７，７」等の大当り図柄配列が表示されれば、遊技者に対して「大当り」を報知したことになる。
【００２９】
また、図柄表示装置１は、遊技状態の変化をきっかけとして、縮小配置状態から第１の拡張配置状態あるいは第２の拡張配置状態へ変化するように構成されている。ここでいう「遊技状態」とは、例えば、 「７，７，７」等の大当り図柄配列が表示される一歩手前の状態である「リーチ」の状態（例えば「７、７」等）、通常の「リーチ」よりも大当りとなる可能性が高い特別なリーチである「スーパーリーチ」の状態、「スーパーリーチ」よりもさらに大当りとなる可能性が高い特別なリーチである「プレミアムリーチ」の状態、あるいは、ある「大当り」の遊技が終了した後に、さらに「大当り」となる可能性が通常よりも高くなることが遊技者に報知される「高確率遊技」の状態等が挙げられる。つまり、通常の遊技状態とは大当り確率等が異なるこれらの特別な遊技状態への移行をきっかけとして、図柄表示装置１が縮小配置状態から第１の拡張配置状態あるいは第２の拡張配置状態に切換えられるので、遊技者にとっては、遊技状態の変化を、図柄表示装置１の構造的な変化によって視覚的に分かり易く把握することが可能となっている。
【００３０】
そして、本実施の形態に係るパチンコ機によれば、図柄表示装置１の配置状態の変化により、ラインの数が、ラインＬ１〜ラインＬ５までの間で変化する。これにより、遊技者に対して「大当り」となる確率が変化しているように感じさせることができる。
例えば、図柄表示装置１が図６に示すような縮小配置状態をとっているときには、ラインＬ１上にしか３桁の数字を表示することができない。つまり、「７，７，７」等の大当り図柄配列をラインＬ１上にしか表示することができないので、遊技者に対して「大当り」となる確率があまり高くないと感じさせることができる。
例えば、図柄表示装置１が図８に示すような第１の拡張配置状態をとっているときには、ラインＬ１及びラインＬ３に、３桁の数字を表示することができる。
つまり、「７，７，７」等の大当り図柄配列を２つのライン上に表示することができるので、遊技者に対して、縮小配置状態よりも「大当り」となる確率が高いと感じさせることができる。
例えば、図柄表示装置１が図１０に示すような第２の拡張配置状態をとっているときには、ラインＬ１〜ラインＬ５に３桁の数字を表示することができる。つまり、「７，７，７」等の大当り図柄配列を５つのライン上に表示することができるので、遊技者に対して、縮小配置状態あるいは第１の拡張配置状態よりも「大当り」となる確率が高いと感じさせることができる。
【００３１】
図１４は、本実施の形態に係るパチンコ機の主制御装置１０１の概略構成を示すブロック図である。
図１４に示すように、前述した各種の球検出器１３８、２６ａ、８５は、パチンコ機の主制御装置１０１に電気的に接続されている。主制御装置１０１は主制御基板とも呼ばれるものであり、ＣＰＵ、ＲＡＭ、ＲＯＭ等の制御処理に必要な部品を基板上に一体に備えて構成されている。そして、各種の球検出器１３８、２６ａ、８５によって球Ｂがそれぞれ検出されると、その検出信号は、主制御装置１０１にそれぞれ伝達される。そして、これらに対応して主制御装置１０１から出力される信号によって、各種のモータ、ソレノイド等が作動され、電動式普通役物装置２１の一対の開閉部材２２の開閉動作が行われたり、あるいは、可動振分体１４５の回転動作が行われたり、あるいは、大入賞口装置６０の開閉扉６１の開閉動作が行われたりするようになっている。
また、主制御装置１０１は図柄表示装置１にも接続されており、図柄表示装置１に対して所定の表示制御信号を伝達できるように構成されている。
【００３２】
次に、上述のように構成されたパチンコ機によるパチンコ遊技について説明する。
まず、図示しない球発射装置から球発射通路１４に発射された球Ｂ（パチンコ球）は、遊技領域１５の上部に打ち出され、多数の釘や風車器２５等に当たって遊技領域１５の下部に向けて流れる。
遊技領域１５に打ち出された球Ｂのうち、一部の球Ｂは普通入賞口２０、特定入賞口２６、電動式普通役物装置２１等の入球口に流入する。また、これら入球口に流入しなかった球Ｂは遊技領域１５の下部のアウト口６５に流入し、機外に排出される。
【００３３】
特定入賞口２６の入球口に球Ｂが流入すると、その球Ｂが球検出器２６ａによって検出される。すると、球検出器２６ａの検出信号が主制御装置１０１に伝達される。これに基づいて主制御装置１０１から出力される信号が電動式普通役物装置２１に伝達され、これによって、一対の開閉部材２２が所定時間（例えば、０．５秒）開放された後、元の状態に閉じられる。
電動式普通役物装置２１の一対の開閉部材２２が開放している間は、その可変入球口２２ａに球Ｂが流入し易くなる。
電動式普通役物装置２１の可変入球口２２ａに球Ｂが流入すると、その球Ｂは、権利発生装置３０内部の球通路１３７に流れる。この際、球検出器１３８によって球Ｂの通過が検出され、球検出器１３８による検出信号が主制御装置１０１に伝達される。
このとき、球通路１３７を通過した球Ｂは、可動振分体１４５の上部に保留される（図２（Ａ）参照）。
【００３４】
球Ｂが電動式普通役物装置２１の可変入球口２２ａに入球し、球検出器１３８による検出信号が主制御装置１０１に伝達されると、主制御装置１０１による抽選が行われる。
具体的には、まず、主制御装置１０１に備えられたＣＰＵによって乱数発生のためのプログラムが実行され、発生した乱数がＲＡＭに一時的に記憶される。この乱数は、可変入球口２２ａへの入球に対する抽選結果が「大当り」であるか否かを判定するための大当り判定用乱数であって、この大当り判定用乱数が所定の数であるか否かによって「大当り」であるか否かの判定が行われる。乱数を発生したり、発生した乱数によって「大当り」を判定するためのプログラムは、予め主制御装置１０１に備えられたＲＯＭに記憶されており、このＲＯＭに記憶されたプログラムがＣＰＵによって読み込まれた後に必要に応じて実行されるようになっている。
【００３５】
また、球Ｂが電動式普通役物装置２１の可変入球口２２ａに入球し、球検出器１３８による検出信号が主制御装置１０１に伝達されると、主制御装置１０１による抽選が行われるのと略同時に、図柄表示装置１に抽選図柄が変動表示される。そして、主制御装置１０１による抽選結果が「大当り」である場合には、図柄表示装置１に「大当り図柄配列」が停止表示され、遊技者に「大当り」であることが報知される。「大当り図柄配列」とは、遊技者に「大当り」を認識させるための表示態様であって、例えば、３桁の数字が「７，７，７」や「３，３，３」等のゾロ目となる表示態様のことである。この「大当り図柄配列」が、本発明における「所定の表示態様」に対応している。
本実施の形態では、次の（１）及び（２）に示す２通りの態様で、抽選結果に応じた図柄の変動表示が図柄表示装置１によって行われる。
【００３６】
（１）まず、図６に示すように、第１の表示部２ａの左図柄及び右図柄が停止表示され、ラインＬ１上に「７，↓，７」（「↓」は変動表示中を意味する）の「リーチ図柄配列」が表示される。このとき、第１の表示部２ａの中図柄は変動表示中であり、いずれの数字であるか識別できない態様で、高速で点滅表示されている。このように、「７」のゾロ目でリーチになった場合には、通常よりも大当りとなる確率が高い「スーパーリーチ」に移行する可能性がある。「スーパーリーチ」では、図柄表示装置１は図６に示す縮小配置状態から、図８に示す第１の拡張配置状態へ切換えられる。
第１の拡張配置状態に切り換えられた図柄表示装置１において、図８に示すように、ラインＬ１上 には「７，↓，７」のリーチ図柄配列がそのまま表示される。また、第３の表示部２ｃの左図柄及び右図柄が停止表示され、ラインＬ３上にも「７，↓，７」の「リーチ図柄配列」が表示される。このとき、第３の表示部２ｃの中図柄は変動表示中であり、いずれの数字であるか識別できない態様で、高速で点滅表示されている。つまり、ラインＬ１及びラインＬ３上に「７」のリーチライン（リーチ図柄配列「７，↓，７」が表示されたライン）が１つずつ形成されているので、第１の表示部２ａもしくは第３の表示部２ｃの中図柄に「７」が停止表示されれば、「７，７，７」の大当り図柄配列が表示されることになる。このような状態をダブルリーチ状態といい、大当り図柄配列を表示可能なラインが複数形成されることで、遊技者に対してより一層の期待感を抱かせることができる。
そして、第１の表示部２ａ及び第３の表示部２ｃに「７，↓，７」のリーチ図柄配列が表示されると、両表示部の中図柄が、視認できる程度にゆっくりと、１，２，３…の順に上から下に向かってあたかも移動するように表示されるようになる。つまり、例えば、第３の表示部２ｃの中図柄に「７」が表示されると、次の瞬間には同表示部の中図柄に「８」が表示され、同時に、第１の表示部２ａの中図柄に「７」が表示される。さらに次の瞬間には、第３の表示部２ｃの中図柄に「９」が表示され、第１の表示部２ａの中図柄には「８」が表示される。このようにして図柄がゆっくりと上から下に向かって移動するように表示された後、第１の表示部２ａ及び第３の表示部２ｃのいずれかの表示部の中図柄に「７」が停止表示されれば、「７，７，７」の大当り図柄配列が表示されて遊技者に「大当り」を報知したことになる。反対に、第１の表示部２ａ及び第３の表示部２ｃのいずれの表示部の中図柄にも「７」が停止表示されなければ、遊技者に「はずれ」を報知したことになる。
なお、上述の説明では、第１の表示部２ａと第３の表示部２ｃの中図柄が互いに協調して、１，２，３…の順に上から下に移動するように表示される例を示したが、このような態様に限定するものではない。例えば、第１の表示部２ａと第３の表示部２ｃの中図柄が関連性を持たない態様で変動表示され、その後、別々のタイミングで停止表示されるようにしてもよい。
【００３７】
（２）また、図柄表示装置１による別の変動表示の態様として、まず、図６に示すように、第１の表示部２ａの左図柄及び右図柄が停止表示され、ラインＬ１上に「７，↓，７」（「↓」は変動表示中を意味する）の「リーチ図柄配列」が表示される。このとき、第１の表示部２ａの中図柄は変動表示中であり、いずれの数字であるか識別できない態様で、高速で点滅表示されている。このように、「７」のゾロ目でリーチになった場合には、前記した「スーパーリーチ」の他に、「スーパーリーチ」よりもさらに大当りとなる確率が高い「プレミアムリーチ」に移行する可能性がある。「プレミアムリーチ」では、図柄表示装置１は図６に示す縮小配置状態から、図１０に示す第２の拡張配置状態へ切換えられる。
第２の拡張配置状態に切り換えられた図柄表示装置１において、図１０に示すように、ラインＬ１〜ラインＬ３上に「７，↓，７」のリーチ図柄配列が表示される。このとき、図柄表示装置１の表示部２には、ラインＬ１〜ラインＬ３上に３つの「リーチ図柄配列」が表示される。このような状態をトリプルリーチ状態といい、大当り図柄配列を表示可能なラインが第１の拡張配置状態よりも更に増えることで、遊技者に対してさらに大きな期待感を抱かせることができる。
そして、第１〜第３の表示部２ａ、２ｂ、２ｃに「７，↓，７」のリーチ図柄配列が表示されると、それらの表示部の中図柄が、視認できる程度にゆっくりと、１，２，３…の順に上から下に向かってあたかも移動するように表示される。
つまり、例えば、第３の表示部２ｃの中図柄に「７」が表示されると、次の瞬間には同表示部の中図柄に「８」が表示され、同時に、第２の表示部２ｂの中図柄に「７」が表示され、第１の表示部２ａの中図柄に「６」が表示される。さらに次の瞬間には、第３の表示部２ｃの中図柄に「９」が表示され、第２の表示部２ｂの中図柄に「８」が表示され、第１の表示部２ａの中図柄に「７」が表示される。このようにして、図柄がゆっくりと上から下に向かって移動するように表示された後、第１〜第３の表示部２ａ、２ｂ、２ｃのうち、いずれかの表示部の中図柄に「７」が停止表示されれば、ラインＬ１〜ラインＬ３のうち少なくとも１つのライン上に「７，７，７」の大当り図柄配列が形成されて、遊技者に「大当り」を報知したことになる。反対に、第１〜第３の表示部２ａ、２ｂ、２ｃのいずれの表示部の中図柄にも「７」が停止表示されなければ、大当り図柄配列は形成されないので、遊技者に「はずれ」を報知したことになる。
なお、上述の説明では、第１〜第３の表示部２ａ、２ｂ、２ｃの中図柄が互いに協調して、１，２，３…の順に上から下へ移動するように表示される例を示したが、このような態様に限定するものではない。例えば、第１〜第３の表示部２ａ、２ｂ、２ｃの中図柄が関連性を持たない態様で変動表示されて、その後、互いに異なるタイミングで別個に停止表示されるようにしてもよい。
【００３８】
主制御装置１０１による抽選結果が「大当り」である場合には、ラインＬ１〜ラインＬ５のうち少なくとも一つのライン上に「大当り図柄配列」が停止表示され、遊技者に「大当り」であることが報知される。そして、権利発生装置３０の可動振分体１４５が時計回り（図２に向かって時計回り）に回転し、球受け部１４６に球Ｂが受けられる。可動振分体１４５のさらなる回転により球Ｂは特定領域１４７に流れ、その特定領域１４７の下流側に配設された球検出器によって球Ｂが検出されることで「大当り」が確定する。
また、主制御装置１０１による抽選結果が「大当り」以外の「はずれ」である場合には、ラインＬ１〜ラインＬ５には「大当り図柄配列」が停止表示されず、遊技者に「はずれ」であることが報知される。そして、権利発生装置３０の可動振分体１４５が反時計回り（図２に向かって反時計回り）に回転し、球受部１４６に球Ｂが受けられる。可動振分体１４５のさらなる回転により球Ｂは非特定領域１４８に流れ、球Ｂはそのまま権利発生装置３０から排出される。
【００３９】
前記大当りが確定した後、遊技領域１５を流れる球Ｂが第３種始動口７０の開口部７６を通して入球室７３に流入すると、図４に示すように、球Ｂは、一旦、球保留部７７に保持される。第３種始動口７０の回転体９０は、パチンコ機の電源スイッチがＯＮされると同時に、一方向（図４に向かって時計回り方向）に所定速度、例えば、１０秒間に１回転の速さで連続回転する。
回転体９０の吸着部９２が球保留部７７に達すると、その球保留部７７の球Ｂが回転体９０の吸着部９２に吸着される。引き続く回転体９０の回転動作によって、その吸着部９２に吸着された球Ｂが入球口８０を通して球通路８１に沿って移送される。
回転体９０の吸着部９２に吸着された球Ｂが球分離部８３に達すると、その後の回転体９０の回転動作によって回転体９０の吸着部９２から球Ｂが分離する。
その後、球Ｂは球通路８１の底板部８２の傾斜面を流下し、排出口８４を通して遊技盤１０の後側に設けられた裏集合樋に流れる。
【００４０】
球通路８１の排出口８４を通過する球Ｂが球検出器８５によって検出されると、その検出信号が主制御装置１０１（主制御基板）に伝達される。これに基づいて主制御装置１０１から出力される信号が大入賞口装置６０に伝達され、その開閉扉６１によって大入賞口６２が開かれる。開かれた大入賞口６２へ球Ｂが流入すると、所定数の賞球の払出しが行われる。大入賞口６２に球Ｂが最大で１０個流入するか、あるいは、３０秒経過すると、開閉扉６１によって大入賞口６２が閉じられ、ここで大当り遊技の１ラウンドが終了する。１ラウンド中に大入賞口６２に流入した球Ｂの数は、大入賞口装置６０の下部に設けられた入賞球カウンタ６４によって表示される。
開閉扉６１によって大入賞口６２が一旦閉じられた後、再び、球通路８１の排出口８４を通過する球Ｂが球検出器８５によって検出されると、開閉扉６１によって大入賞口６２が開かれて、次のラウンドが開始される。大当り遊技中における現在のラウンド数は、大入賞口装置６０の下部に設けられたラウンド数表示器６３に表示される。このように大当り遊技が最大で１６ラウンド行われて、大当り遊技処理が終了する。
【００４１】
大当り遊技処理が終了した後、「大当り図柄配列」を形成した「７，７，７」の図柄が確率変動図柄であった場合には、その後の遊技は、通常よりも「大当り」となる確率の高い「高確率遊技」となる。本実施の形態では、この高確率遊技の状態への移行をきっかけとして、図柄表示装置１が、通常の縮小配置状態から、第２の拡張配置状態に切換えられる。図柄表示装置１が第２の拡張配置状態に切換えられた場合において、電動式普通役物装置２１の可変入球口２２ａに球Ｂが流入すると、球検出器１３８によって球Ｂの通過が検出され、第１〜第３の表示部２ａ、２ｂ、２ｃに図柄が視認できない程度の高速で点滅表示される。
【００４２】
しばらくすると、第１〜第３の表示部２ａ、２ｂ、２ｃの左図柄が、視認できる程度の速度でゆっくりと、１，２，３…の順で下方向に移動するように表示される。つまり、第１の表示部２ａの左図柄に「５」、第２の表示部２ｂの左図柄に「６」、第３の表示部２ｃの左図柄に「７」が表示されると、次に瞬間には、第１の表示部２ａの左図柄に「６」、第２の表示部２ｂの左図柄に「７」、第３の表示部２ｃの左図柄に「８」が表示され、さらに次の瞬間には、第１の表示部２ａの左図柄に「７」、第２の表示部２ｂの左図柄に「８」、第３の表示部２ｃの左図柄に「９」が表示される。そして、所定時間の変動表示が継続された後、第１〜第３の表示部２ａ、２ｂ、２ｃの左図柄が同時に停止表示される。また、第１〜第３の表示部２ａ、２ｂ、２ｃの左図柄が停止してから所定時間経過後、第１〜第３の表示部２ａ、２ｂ、２ｃの右図柄が、同様に図柄が視認できる程度の速度でゆっくりと下方向に移動する表示に切り替わる。ただし、右図柄は左図柄と逆順の９，８，７…の順で表示される。そして、所定時間の変動表示が継続された後、第１〜第３の表示部２ａ、２ｂ、２ｃの各右図柄が同時に停止表示される。
【００４３】
ここで、上述のように第２の拡張配置状態に切り換えられた「高確率遊技」においては、図１３に示すように、ラインＬ１〜ラインＬ５の５ラインが設定される。すなわち、横向きのラインであるラインＬ１、ラインＬ２、ラインＬ３と、斜めのラインであるラインＬ４、ラインＬ５とに設定され、ラインＬ１〜ラインＬ５のいずれかのライン上に大当り図柄配列が表示されれば大当りとなる。ラインが通常遊技状態の１ラインから５ラインに増加するため、「高確率遊技」においては通常よりも「大当り」になる確率が高まったことを遊技者に分かり易く認識させることができる。さらに、本実施の形態では、最終停止図柄（中図柄）に関し異なる図柄によるトリプルリーチを表示することができ、遊技者にさらに大当りになる確率が高まったと認識させることができる。例えば、図１３に示すように、第１の表示部２ａの左図柄に「６」、第２の表示部２ｂの左図柄に「７」、第３の表示部２ｃの左図柄に「８」を表示して停止し、かつ、第１の表示部２ａの右図柄に「８」、第２の表示部２ｂの右図柄に「７」、第３の表示部２ｃの右図柄に「６」を表示して停止すると、ラインＬ２上に「７，↓，７」、ラインＬ４上に「６，↓，６」、ラインＬ５上に「８，↓，８」のリーチ図柄配列がそれぞれ表示される。
ついで、第１〜第３の表示部２ａ、２ｂ、２ｃの中図柄が視認できる程度の速度でゆっくりと、１，２，３…の順で下方向に移動する表示に切り換わり、所定時間経過した後に停止する。もし、第２の表示部２ｂの中図柄に「６」、「７」、または、「８」のいずれかが表示されれば、ラインＬ２、ラインＬ４、または、ラインＬ５上に大当り図柄配列が表示されて、上述したような大当り遊技処理が再び繰り返されることになる。
【００４４】
なお、上述の説明では、第１〜第３の表示部２ａ、２ｂ、２ｃの左図柄、中図柄、及び右図柄がそれぞれ互いに協調して、１，２，３…の順もしくは逆順に下方向へ移動するように表示される例を示したが、このような態様に限定するものではない。例えば、第１〜第３の表示部２ａ、２ｂ、２ｃのそれぞれの図柄が関連性を持たない態様で変動表示されて、その後、互いに異なるタイミングで別個に停止表示されるようにしてもよい。
【００４５】
この発明は前記実施の形態に限定するものではない。
例えば、上記実施の形態においては、権利発生装置３０を備えた第３種パチンコ機である場合を例示したが、第１種パチンコ機や、第２種パチンコ機へ本発明を適用することもできる。
また、パチンコ機に限らず、図柄表示装置を有し、遊技球の通過により抽選を行う遊技機であれば、その他の遊技機（例えばスロットマシン，アレンジボール機，雀球遊技機，テレビゲーム機等）に対しても本発明を適用できる。
【００４６】
上記実施の形態では、図柄表示装置１が第１〜第３の表示部２ａ、２ｂ、２ｃで構成される場合を例示したが、例えば、図柄表示装置１が、前後に重なって配置される２つの表示部や、４つ以上の表示部で構成される場合であっても本発明を適用できる。
【００４７】
また、上記実施の形態では、第１〜第３の表示部２ａ、２ｂ、２ｃが７セグメントＬＥＤで構成される場合を例示したが、その他の表示器、例えば、液晶表示器や、プラズマ表示器等で構成される場合であっても本発明を適用できる。
【００４８】
また、上記実施の形態では、第１〜第３の表示部２ａ、２ｂ、２ｃが前後に重なって配置され、最前面に位置する第１の表示部２ａ以外の表示部が上方向に移動することにより、第１の拡張配置状態、あるいは、第２の拡張配置状態に切換えられる場合を例示したが、このような態様に限定するものではない。
例えば、第１〜第３の表示部２ａ、２ｂ、２ｃが前後に重なって配置され、最前面に位置する第１の表示部２ａ以外の表示部が左右いずれかの方向に移動することによって、遊技者に視認可能とされるようにしてもよい。
【００４９】
また、上記実施の形態では、抽選図柄として「０」から「９」の数字が用いられる場合を例示したが、抽選図柄としてキャラクターの図柄等が用いられる場合であっても本発明を適用できる。
【００５０】
【発明の効果】
以上説明したように、本発明によれば、図柄表示装置の構造自体を変化させることによって、従来にない斬新な表示演出が可能となる。これにより、遊技者の抱く大当りに対する期待感等を効果的に高めることのできる遊技機を提供することができる。
【図面の簡単な説明】
【図１】第３種パチンコ機の遊技盤の正面図である。
【図２】権利発生装置の内部を表した図である。
【図３】第３種始動口の正面図である。
【図４】図３における第３種始動口のＡ−Ａ線断面図である
【図５】回転体の吸着部が入球口に位置するときの、図３における第３種始動口のＡ−Ａ線断面図である。
【図６】縮小配置状態をとった図柄表示装置の正面図である。
【図７】縮小配置状態をとった図柄表示装置の側面図である。
【図８】第１の拡張配置状態をとった図柄表示装置の正面図である。
【図９】第１の拡張配置状態をとった図柄表示装置の側面図である。
【図１０】第２の拡張配置状態をとった図柄表示装置の正面図である。
【図１１】第２の拡張配置状態をとった図柄表示装置の側面図である。
【図１２】縮小配置状態をとった図柄表示装置の背面図である。
【図１３】第２の拡張配置状態をとった図柄表示装置の正面図である。
【図１４】主制御装置の概略構成を示すブロック図である。
【符号の説明】
１    図柄表示装置
２    表示部
２ａ  第１の表示部
２ｂ  第２の表示部
２ｃ  第３の表示部
３ａ，３ｂ    ガイドピン
４ａ、４ｂ    ガイド溝
５ａ  第１の係合部
５ｂ  第２の係合部
６    パネル
７    ケース部材
７ａ  側壁部
８ａ  第１の係合受部
８ｂ  第２の係合受部
９    支持シャフト
１０  遊技盤
３０  権利発生装置
６０  大入賞口装置
７０  第３種始動口
２００  支持体
２０１  ラック
２０２  ピニオン
２０３  ギアードモータ
【図１】
0004565139.tif 000002
【図２】
0004565139.tif 000003
【図３】
0004565139.tif 000004
【図４】
0004565139.tif 000005
【図５】
0004565139.tif 000006
【図６】
0004565139.tif 000007
【図７】
0004565139.tif 000008
【図８】
0004565139.tif 000009
【図９】
0004565139.tif 000010
【図１０】
0004565139.tif 000011
【図１１】
0004565139.tif 000012
【図１２】
0004565139.tif 000013
【図１３】
0004565139.tif 000014
【図１４】
0004565139.tif 000015